(57)【要約】【課題】引出しの大きさに対応させて設置することができる引出しのパーテーションを提供する。【解決手段】複数枚の縦方向のスチール帯板１と、両側面にマグネットが埋設された横板４とを、備える。横板４を、所定間隔Ｗをもって隣り合う２枚のスチール帯板１，１の間で前後無段階に移動自在かつスチール帯板１にマグネットにて吸着させて隣り合う２枚の上記スチール帯板１，１の間に介在させ、引出しＡの収納用空間部Ｐに、複数の収納スペースＳを区画形成するように構成する。【選択図】図１
2019088566.tif 000002
【特許請求の範囲】
【請求項１】
複数枚の縦方向のスチール帯板（１）と、両側面（２）にマグネット（３）が埋設された横板（４）とを、備え、
上記横板（４）を、所定間隔（Ｗ）をもって隣り合う２枚の上記スチール帯板（１）（１）の間で前後無段階に移動自在かつ上記スチール帯板（１）に上記マグネット（３）にて吸着させて上記隣り合う２枚の上記スチール帯板（１）（１）の間に介在させ、
引出し（Ａ）の収納用空間部（Ｐ）に、複数の収納スペース（Ｓ）を区画形成するように構成したことを特徴とする引出しのパーテーション。
【請求項２】
両側面（５）（５）にマグネット（６）が埋設された細長矩形板状の包丁差し盤（７）を、備え、
上記包丁差し盤（７）を、上記スチール帯板（１）に上記包丁差し盤（７）の側面（５）のマグネット（６）にて吸着分離自在とした請求項１記載の引出しのパーテーション。
【請求項３】
上記包丁差し盤（７）は、縦方向の分割面（12）にて分割された複数の分割体（７Ａ）から成り、各分割体（７Ａ）は上記分割面（12）にマグネット（６Ａ）を有する請求項２記載の引出しのパーテーション。
【発明の詳細な説明】
【技術分野】
【０００１】
本発明は、引出しのパーテーションに関する。
【背景技術】
【０００２】
従来、引出しにカトラリー等を整理して収納するために、引出し内の収納用空間部に、あらかじめ複数の収納凹部を有する収納トレーを設置していた（例えば、特許文献１参照）。
【先行技術文献】
【特許文献】
【０００３】
【特許文献１】特開２０１６−１５８９２５号公報
【発明の概要】
【発明が解決しようとする課題】
【０００４】
特許文献１記載の引出しのパーテーションは、あらかじめ収納凹部の形状寸法が所定のものに固定されているので、引出しの大きさに対応させて設置することができないという問題がある。また、所望の区画パターンの収納スペースを形成することができないという欠点がある。
【０００５】
そこで、本発明は、引出しの大きさに対応させて設置することができる引出しのパーテーションを提供することを目的とする。また、所望の区画パターンの収納スペースを形成することができる引出しのパーテーションを提供することを目的とする。
【課題を解決するための手段】
【０００６】
本発明に係る引出しのパーテーションは、複数枚の縦方向のスチール帯板と、両側面にマグネットが埋設された横板とを、備え、上記横板を、所定間隔をもって隣り合う２枚の上記スチール帯板の間で前後無段階に移動自在かつ上記スチール帯板に上記マグネットにて吸着させて上記隣り合う２枚の上記スチール帯板の間に介在させ、引出しの収納用空間部に、複数の収納スペースを区画形成するように構成したものである。
また、両側面にマグネットが埋設された細長矩形板状の包丁差し盤を、備え、上記包丁差し盤を、上記スチール帯板に上記包丁差し盤の側面のマグネットにて吸着分離自在としたものである。
また、上記包丁差し盤は、縦方向の分割面にて分割された複数の分割体から成り、各分割体は上記分割面にマグネットを有するものである。
【発明の効果】
【０００７】
本発明の引出しのパーテーションによれば、引出しの幅寸法の大小に対応させて設置することができる。また、所望の区画パターンの収納スペースを形成することができる。即ち、収納物の大きさ及び量に応じて、収納区画を変更することができる。また、不使用時、運搬時等には、コンパクトに保存等することができる。
【図面の簡単な説明】
【０００８】
【図１】本発明の実施の一形態の使用状態を示す平面図である。
【図２】スチール帯板及び横板のセットを示す斜視図である。
【図３】横板の断面正面図である。
【図４】本発明の実施の一形態を示す斜視図である。
【図５】包丁差しの一例を示す平面図である。
【図６】包丁差しの変形例を示す平面図である。
【発明を実施するための形態】
【０００９】
以下、図示の実施の形態に基づいて本発明を詳説する。
図１は、本発明の実施の一形態の使用状態を示す。この引出しのパーテーションは、引出しＡの中に設置されて、引出しＡの収納用空間部Ｐに、複数の収納スペースＳを区画形成する。そして、収納スペースＳに、ナイフ、フォーク等のカトラリー（図示省略）を種類分けして収納することができる。
【００１０】
図２〜図４に示すように、複数枚（図例では５枚）の縦方向のスチール帯板１と、両側面２，２にマグネット３が埋設された（図例では６枚の）木製の横板４とを、備える。マグネット３は、例えば、ネオジウム磁石が好適である。横板４が、所定間隔Ｗをもって隣り合う２枚のスチール帯板１，１の間で前後無段階に移動自在かつスチール帯板１にマグネット３にて吸着させて隣り合う２枚のスチール帯板１，１の間に介在させ、引出しＡ（図１参照）の収納用空間部Ｐに、複数の収納スペースＳを区画形成するように構成される。
【００１１】
スチール帯板１の厚さ寸法ｔ（図４参照）を、 0.5mm≦ｔ≦ 1.5mmに設定する。デッドスペースが最小限となり、引出しＡの収納用空間部Ｐを最大限に有効活用することができる。厚さ寸法ｔが、ｔ＜ 0.5mmの場合、強度不足となる。また、厚さ寸法ｔが、 1.5mm＜ｔの場合、デッドスペースが大きくなる。即ち、収納スペースＳ（の幅寸法）が小さくなる。
【００１２】
図５に示す両側面５にマグネット６が埋設された細長矩形板状の木製の包丁差し盤７を、備える。包丁差し盤７が、スチール帯板１に包丁差し盤７の側面５のマグネット６にて吸着分離自在とされる。包丁差し盤７は、ベース板８に複数の直方体９をダボ10（及び接着）にて連結状に構成されている。11は包丁を差込むための差込み凹溝である。
【００１３】
包丁差し盤７の変形例について説明する。図６に示すように、包丁差し盤７が、縦方向の分割面12にて分割された複数（図例では２つ）の分割体７Ａから成り、各分割体７Ａは分割面12にマグネット６Ａを有する。
【００１４】
なお、本発明は、設計変更可能であって、例えば、手指を切らないために、スチール帯板１の周囲端縁の横断面角部にアールを付けるも好ましい。また、横板４、及び、包丁差し盤７を、プラスチック製やその他の材質とするも良い。また、包丁差し盤７を省略するも良い。また、本発明のパーテーションを、大きな寸法で製作して、洋服の収納ケース内に用いるものとするも良い。
【００１５】
以上のように、本発明は、複数枚の縦方向のスチール帯板１と、両側面２にマグネット３が埋設された横板４とを、備え、上記横板４を、所定間隔Ｗをもって隣り合う２枚の上記スチール帯板１，１の間で前後無段階に移動自在かつ上記スチール帯板１に上記マグネット３にて吸着させて上記隣り合う２枚の上記スチール帯板１，１の間に介在させ、引出しＡの収納用空間部Ｐに、複数の収納スペースＳを区画形成するように構成したので、簡易な構成であって、引出しＡの大きさに対応して設置することができる。即ち、使用の際、スチール帯板１（及び横板４）の枚数を増減させることにより、引出しＡの幅寸法の大小に対応させて設置することができる。また、所望の区画パターンの収納スペースＳを形成することができる。即ち、収納物の大きさ及び量に応じて、横板４を前後移動させる等して、収納区画を変更することができる。
【００１６】
さらに、引出しＡ内に設置する際に、スチール帯板１が（左右方向に）倒れないように、固定具（ボルト等）を全く用いることなく、横板４が保持するので、部品点数も最少で済み、かつ、設置作業及び収納スペースＳの大小の変更作業を、迅速に行い得る。また、不使用時、運搬時等には、コンパクトに保存等することができる。
【００１７】
また、両側面５，５にマグネット６が埋設された細長矩形板状の包丁差し盤７を、備え、上記包丁差し盤７を、上記スチール帯板１に上記包丁差し盤７の側面５のマグネット６にて吸着分離自在としたので、所望の場合に、包丁差し盤７をスチール帯板１に吸着させて、引出しＡ内に包丁を収納することができる。
また、上記包丁差し盤７は、縦方向の分割面12にて分割された複数の分割体７Ａから成り、各分割体７Ａは上記分割面12にマグネット６Ａを有するので、包丁の収納予定本数が少ない場合、（スチール帯板１に吸着させて設置する）分割体７Ａの数を減少させることにより、パーテーション全体としての設置スペースを小さくすることができる。
【符号の説明】
【００１８】
１  スチール帯板
２  （両）側面
３  マグネット
４  横板
５  （両）側面
６  マグネット
６Ａ  マグネット
７  包丁差し盤
７Ａ  分割体
12  分割面
Ａ  引出し
Ｐ  収納用空間部
Ｓ  収納スペース
Ｗ  所定間隔
【図１】
2019088566.tif 000003
【図２】
2019088566.tif 000004
【図３】
2019088566.tif 000005
【図４】
2019088566.tif 000006
【図５】
2019088566.tif 000007
【図６】
2019088566.tif 000008